(57)【要約】【課題】アンテナの特性を向上することができると共に、より効果的に小型化することができる逆Ｆアンテナを提供する。【解決手段】  プリント基板の表面に形成される逆Ｆアンテナ１００において、放射導体１０は、第１の放射導体１１および第２の放射導体１２の２つの部分と、チップコイル１６とから構成される。第１の放射導体１１と第２の放射導体１２との間に、チップコイル１６が設けられ、このチップコイル１６により第１の放射導体１１と第２の放射導体１２とが電気的に接続される。これにより、逆Ｆアンテナ１００をより効果的に小型化することができる。また、チップコイル１６内部に３次元的に流れる電流成分が存在するため、すべての方向の偏波について、ある程度の感度を持つことができる。また、チップコイル１６のインダクタンスを変更するだけで、逆Ｆアンテナ１００の共振周波数の調整が容易に行うことができる。【選択図】        図１
2005252366.tif 000002
【特許請求の範囲】
【請求項１】
プリント基板の表面に形成され、グランド部と、該グランド部に対向させた放射導体と、該放射導体と上記グランド部を接続する短絡導体部と、上記放射導体に給電するための給電線路とを備える逆Ｆアンテナにおいて、
上記放射導体は、一端に上記短絡導体部が接続され、他端に上記給電線路が接続される第１の放射導体と、上記第１の放射導体の他端側の延長線上に所定距離を離れて形成された第２の放射導体とを有し、
上記第１の放射導体と第２の放射導体との間に、少なくとも一つのヘリカル構造の導体が設けられ、該ヘリカル構造の導体により上記第１の放射導体と第２の放射導体とが電気的に接続される
ことを特徴とする逆Ｆアンテナ。
【請求項２】
上記ヘリカル構造の導体は、チップコイルである
ことを特徴とする請求項１に記載の逆Ｆアンテナ。
【請求項３】
上記第２の放射導体の上記第１の放射導体に遠い部分の導体幅が、上記第１の放射導体に近い部分の導体幅よりも広く形成される
ことを特徴とする請求項１に記載の逆Ｆアンテナ。
【請求項４】
プリント基板の表面に形成され、グランド部と、該グランド部に対向させた放射導体と、該放射導体と上記グランド部を接続する短絡導体部と、上記放射導体部に給電するための給電線路とを備える逆Ｆアンテナにおいて、
上記放射導体は、一端に上記短絡導体部が接続され、他端に上記給電線路が接続される第１の放射導体と、上記第１の放射導体の他端側の延長線上に所定距離を離れて形成された第２の放射導体とを有し、
上記第１の放射導体と第２の放射導体との間に、少なくとも一つのミアンダ構造の導体が設けられ、該ミアンダ構造の導体により上記第１の放射導体と第２の放射導体とが電気的に接続される
ことを特徴とする逆Ｆアンテナ。
【請求項５】
上記第２の放射導体の上記第１の放射導体に遠い部分の導体幅が、上記第１の放射導体に近い部分の導体幅よりも広く形成される
ことを特徴とする請求項４に記載の逆Ｆアンテナ。
【発明の詳細な説明】
【技術分野】
【０００１】
この発明は、プリント基板の表面に形成される逆Ｆ型アンテナに関する。詳しくは、放射導体は、一端に短絡導体部が接続され、他端に給電線路が接続される第１の放射導体と、該第１の放射導体の他端側の延長線上に所定距離を離れて形成された第２の放射導体とを有し、放射導体の第１の放射導体と第２の放射導体との間に、少なくとも一つのヘリカル構造の導体、またはミアンダ構造の導体が設けられ、該ヘリカル構造の導体、またはミアンダ構造の導体により第１の放射導体と第２の放射導体とが電気的に接続される構成とすることによって、アンテナの特性を向上することができると共に、より効果的に小型化することができるようにした逆Ｆアンテナに係るものである。
【背景技術】
【０００２】
移動体通信機等に用いられる小型のアンテナシステムとしては、従来から種々の構成のものが提案され用いられている。そのような小型のアンテナシステムとして良く知られるのは、逆Ｆアンテナを用いたものがある。
【０００３】
図６は、従来の逆Ｆアンテナの構成例を示す図である。この逆Ｆアンテナ１は、不平衡回路を介して給電される。
【０００４】
図６に示すように、逆Ｆアンテナ１は、放射導体部５ａと短絡導体部５ｂと給電部５ｃとから成る放射素子（励振素子）５と、グランド部６と、放射素子５の給電部５ｃへ給電するための給電点となるＲＦコネクタ７とから構成されている。ＲＦコネクタ７の信号端子７ａは給電部５ｃに接続される。ＲＦコネクタ７のグランド端子７ｂはグランド部６に接続される。
【０００５】
このような構成の逆Ｆアンテナ１は、給電点の位置を変えることで、この給電点に接続される同軸線路等の給電線と放射素子５とのインピーダンス整合が取れるように工夫されたものである。
【０００６】
また、インダクタを用いて２周波共用できるアレーアンテナが提案されている（例えば、特許文献１参照）。
【０００７】
この場合、２周波共用アンテナにおいて、誘電体基板の表面および裏面にそれぞれプリント化して形成された２つの給電線路と各給電線路にそれぞれ接続される一対の内側放射素子および外側放射素子と、内側放射素子と外側放射素子との間隙で両放射素子を接続するインダクタとを備えるようになされる。
【０００８】
これにより、内側放射素子とインダクタと外側放射素子との長さの和が波長の約１／４となる周波数ｆ１で動作すると共に、内側放射素子の長さが波長の約１／４となる周波数ｆ２に対して、間隙の容量性の効果に基づくコンデンサとインダクタとからなる並列回路の共振周波数を一致させることで周波数ｆ１よりも相対的に高い周波数ｆ２でも動作させることができる。
【０００９】
【特許文献１】特開２００１−１８５９３８号公報（第５，９頁、第１図）
【発明の開示】
【発明が解決しようとする課題】
【００１０】
しかしながら、近年、移動通信端末の普及により無線通信装置本体の小型化、およびアンテナ素子の小型化が進められた。上述したグランドがアンテナに一体化された逆Ｆアンテナ等においても、アンテナの小型化が要求されている。そのため、アンテナの放射導体部を短縮することが必要となっている。
【００１１】
また、上述した従来の逆Ｆアンテナは、放射体がプリント化して平面上に形成されているため、電流が二次元平面内にしか流れず、その平面と垂直な偏波に対するアンテナの感度は低いという問題があった。
【００１２】
また、上述した従来の逆Ｆアンテナは、基板上に形成された放射導体の長さで共振周波数が決められる。そのため、周波数の変更が必要とされる場合には、改めて放射導体の長さの違う別の基板を再設計する必要があるという問題があった。
【００１３】
また、特許文献１の場合、２つの周波数で動作することができるが、インダクタが放射導体部の中央に設けるため、アンテナの放射導体部の小型化の効果が少ないという問題があった。
【００１４】
そこで、この発明は、アンテナの特性を向上することができると共に、より効果的に小型化することができるようにした逆Ｆアンテナを提供することを目的とする。
【課題を解決するための手段】
【００１５】
この発明に係る逆Ｆアンテナは、プリント基板の表面に形成され、グランド部と、該グランド部に対向させた放射導体と、該放射導体と上記グランド部を接続する短絡導体部と、放射導体に給電するための給電線路とを備える逆Ｆアンテナにおいて、放射導体は、一端に短絡導体部が接続され、他端に上記給電線路が接続される第１の放射導体と、第１の放射導体の他端側の延長線上に所定距離を離れて形成された第２の放射導体とを有し、第１の放射導体と第２の放射導体との間に、少なくとも一つのヘリカル構造の導体が設けられ、該ヘリカル構造の導体により第１の放射導体と第２の放射導体とが電気的に接続されるものである。
【００１６】
例えば、ヘリカル構造の導体は、チップコイルである。また、第２の放射導体の第１の放射導体に遠い部分の導体幅が、第１の放射導体に近い部分の導体幅よりも広く形成される。
【００１７】
また、この発明に係る逆Ｆアンテナは、プリント基板の表面に形成され、グランド部と、該グランド部に対向させた放射導体と、該放射導体と上記グランド部を接続する短絡導体部と、放射導体部に給電するための給電線路とを備える逆Ｆアンテナにおいて、放射導体は、一端に短絡導体部が接続され、他端に給電線路が接続される第１の放射導体と、第１の放射導体の他端側の延長線上に所定距離を離れて形成された第２の放射導体とを有し、第１の放射導体と第２の放射導体との間に、少なくとも一つのミアンダ構造の導体が設けられ、該ミアンダ構造の導体により第１の放射導体と第２の放射導体とが電気的に接続されるものである。
【００１８】
この発明においては、プリント基板の表面に形成される逆Ｆ型アンテナにおいて、放射導体は、第１の放射導体と、第２の放射導体の２つの部分に形成される。第１の放射導体は、一端に短絡導体部が接続され、他端に給電線路が接続される。また、第２の放射導体は、第１の放射導体の他端側の延長線上に所定距離を離れて形成される。この第１の放射導体と第２の放射導体との間に、少なくとも一つのヘリカル構造の導体、またはミアンダ構造の導体が設けられ、該ヘリカル構造の導体、またはミアンダ構造の導体により第１の放射導体と第２の放射導体とが電気的に接続されるようになされる。
【００１９】
これにより、放射導体パターンと、ヘリカル構造の導体またはミアンダ構造の導体とから構成し、全体として所望の周波数の波長に対応した電気長をもつ放射導体が得られ、かつヘリカル構造の導体またはミアンダ構造の導体が給電線路に近い位置に設けられることで、逆Ｆアンテナをより効果的に小型化することが可能となる。また、チップコイルのような既製品を用いることで、小型の逆Ｆアンテナを安価に製造することが可能となる。
【００２０】
また、チップコイルを用いることで、チップコイルは基材内に導体が立体的に構成されているので、３次元的に流れる電流成分が存在するため、すべての方向の偏波について、ある程度の感度を持つことが可能となる。
【００２１】
また、チップコイル用いるため、チップコイルの内部の導体の長さを変更し、即ちチップコイルのインダクタンスを変更するだけで放射導体の長さの変更ができるので、逆Ｆアンテナの共振周波数の調整が容易に行うことが可能となる。
【００２２】
また、複数のチップコイルを使用し、チップコイルのインダクタンス値の組み合わせをすることで、既製のチップコイル製品を使用でき、逆Ｆアンテナのコストを抑えることが可能となる。
【発明の効果】
【００２３】
この発明によれば、プリント基板の表面に形成される逆Ｆアンテナにおいて、放射導体は、一端に短絡導体部が接続され、他端に給電線路が接続される第１の放射導体と、該第１の放射導体の他端側の延長線上に所定距離を離れて形成された第２の放射導体とを有し、放射導体の第１の放射導体と第２の放射導体との間に、少なくとも一つのヘリカル構造の導体、またはミアンダ構造の導体が設けられ、該ヘリカル構造の導体、またはミアンダ構造の導体により第１の放射導体と第２の放射導体とが電気的に接続されるものであり、アンテナの特性を向上することができると共に、より効果的に小型化することができる。
【発明を実施するための最良の形態】
【００２４】
以下、図面を参照しながら、この発明の実施の形態の逆Ｆアンテナについて説明する。
図１は、本発明の第１の実施の形態の逆Ｆアンテナ１００の構成を示す図である。図１に示すように、逆Ｆアンテナ１００は、第１の放射導体１１と、第２の放射導体１２と、グランド部１３と、短絡導体部１４と、給電線路１５と、ヘリカル構造の導体としてのチップコイル１６とから構成されている。
【００２５】
第１の放射導体１１は、基板の表面にエッチングなどの方法で形成されたパターンである。この第１の放射導体１１は、一端に短絡導体部１４が接続され、他端に給電線路１５が接続される。
【００２６】
第２の放射導体１２は、基板の表面にエッチングなどの方法を用いて、第１の放射導体の他端側の延長線上に所定距離を離れて形成されたパターンである。この第２の放射導体１２の第１の放射導体１１に遠い部分の導体幅が、第１の放射導体１１に近い部分の導体幅よりも広く形成される。このように、放射導体の先端に幅広の容量負荷部を設けた場合、容量負荷部を設けない場合に比べてチップコイル１６内に流れる電流の量が大きいため、アンテナの小型化する効果が大きい。即ち、同じ共振周波数のアンテナを作る場合、インダクタンスの小さいチップコイルを使うことができる。インダクタンスの小さいチップコイルは、インダクタンスの大きいチップコイルに比べて直流抵抗が小さいので、アンテナ内部で熱として失われる電力が減り、アンテナの放射利得が高くなる。また、インダクタンスの小さいチップコイルは、自己共振周波数が高いため、高い周波数でも安定した特性を発揮できる。
【００２７】
また、第１の放射導体１１および第２の放射導体１２は、電波を放射することのほかに、チップコイル１６を基板上に固定するという役割を果たす。これにより、他の補強治具を用いることなく、逆Ｆアンテナ１００を作成することができる。
【００２８】
第１の放射導体１１と第２の放射導体１２と長さの比は、逆Ｆアンテナの入力インピーダンスで決まる。例えば、５０Ωの場合は、第１の放射導体１１よりも第２の放射導体１２の方が長い。この場合、第２の放射導体１２を短縮する方が第１の放射導体１１を短縮するよりもアンテナの小型化には効果的である。
【００２９】
グランド部１３は、受信回路などが配置される基板上、または逆Ｆアンテナ専用の基板上に形成されている。この例の場合は、逆Ｆアンテナ専用の基板上に形成されるものである。送受信する際に、このグランド部１３にも電流を流し、逆Ｆアンテナ１００の一部として動作する。このグランド部１３の大きさおよび形状は、逆Ｆアンテナ１００の特性に影響する。
【００３０】
短絡導体部１４は、第１の放射導体１１とグランド部１３とを接続するように基板上に形成されたパターンである。
【００３１】
また、給電線路１５は、第１の放射導体１１の短絡導体部１４が接続される端と対向する端に接続するように基板上に形成されたパターンである。給電線路１５には、同軸ケーブルによりアンテナとＲＦ回路（送受信回路）とを接続するためのＲＦコネクタが設けられる。ＲＦ回路はこのＲＦコネクタを介して逆Ｆアンテナ１００に給電する。
【００３２】
チップコイル１６は、その表面あるいは内部にヘリカル状に折りたたまれた導体を持つものである。ここで、ヘリカル状の導体は立体的なつるまき線や二次元の渦巻き状にしたものが考えられる。また、チップコイル１６は、例えば、巻線タイプ、積層タイプ、フィルムタイプなどがある。
【００３３】
図２は、チップコイル１６の内部構成を示す図である。図２（ａ）は、巻線タイプのチップコイル１６の内部構造であり、図２（ｂ）は、積層タイプのチップコイル１６の内部構造であり、図２（ｃ）は、フィルムタイプのチップコイル１６の内部構造である。図２に示すように、異なるヘリカル構造を有するチップコイル１６は基材内に導体が立体的に構成されている。
【００３４】
電波の波長は周波数が低くなるほど長くなるので、低い周波数で動作するアンテナほど放射導体のサイズは大きい。高周波の信号は実際に線がつながっていなくても周囲に漏れ出す電界、磁界を介して結合するため、放射導体の物理的な長さと信号が伝わる際の電気的な長さは一般に異なる。実質的な電気長とは、物理的な長さではなく電気的な結合や相互作用を含めた長さのことをいう。物理的な長さと電気長は必ずしも一致しないが、物理的な長さが長いほど電気長は長い。そこで、アンテナの放射導体を細かく折り曲げて長さを大きくすることでアンテナを小型化することが可能である。ここで、図２に示すチップコイル１６のような導体部分をアンテナの放射導体の一部として用いることで、放射導体の電気長の長いアンテナを安価に作成することができため、逆Ｆアンテナ１００の放射導体１０を短縮（小型化）することが可能である。
【００３５】
このように本実施の形態においては、逆Ｆアンテナ１００の放射導体１０は、第１の放射導体１１および第２の放射導体１２の２つの部分と、チップコイル１６とから構成される。第１の放射導体１１は、一端に短絡導体部１４が接続され、他端に給電線路１５が接続される。また、第２の放射導体１２は、第１の放射導体１１の他端側の延長線上に所定距離を離れて形成される。この第１の放射導体１１と第２の放射導体１２との間に、チップコイル１６が設けられ、チップコイル１６により第１の放射導体１１と第２の放射導体１２とが電気的に接続されるようになされる。
【００３６】
これにより、全体として所望の周波数の波長に対応した電気長をもつ放射導体１０が得られ、かつチップコイル１６が給電線路１５に近い位置に設けられることで、逆Ｆアンテナ１００をより効果的に小型化することができる。
【００３７】
また、チップコイル１６のような既製品を用いることで、小型の逆Ｆアンテナ１００を安価に製造することができる。
【００３８】
また、基材内に導体が立体的に構成されているチップコイル１６を用いることで、チップコイル１６内部に３次元的に流れる電流成分が存在するため、すべての方向の偏波について、ある程度の感度を持つことができる。
【００３９】
また、チップコイル１６を用いるため、チップコイル１６のインダクタンスを変更するだけで放射導体の長さの変更ができるので、逆Ｆアンテナ１００の共振周波数の調整が容易に行うことができる。
【００４０】
図３は、本発明の第２の実施の形態の逆Ｆアンテナ２００の構成を示す図である。逆Ｆアンテナ２００は、複数のチップコイルを用いた例である。この図３において、図１と対応する部分には、同一符号を付し、その詳細説明は省略する。
【００４１】
図３に示すように、逆Ｆアンテナ２００は、第１の放射導体１１と、第２の放射導体１２と、グランド部１３と、短絡導体部１４と、給電線路１５と、ヘリカル構造の導体としてのチップコイル１６ａ，１６ｂとから構成されている。
【００４２】
第１の放射導体１１は、基板の表面にエッチングなどの方法で形成されたパターンである。この第１の放射導体１１は、一端に短絡導体部１４が接続され、他端に給電線路１５が接続されている。
【００４３】
第２の放射導体１２は、基板の表面にエッチングなどの方法を用いて、第１の放射導体１１の給電線路１５が接続される端の延長線上に所定距離を離れて形成されたパターンである。この第２の放射導体１２の第１の放射導体１１に遠い部分の導体幅が、第１の放射導体１１に近い部分の導体幅よりも広く形成される。このように、放射導体の先端に幅広の容量負荷部を設けた場合、容量負荷部を設けない場合に比べてチップコイル１６ａ，１６ｂ内に流れる電流の量が大きいため、アンテナの小型化する効果が大きい。即ち、同じ共振周波数のアンテナを作る場合、インダクタンスの小さいチップコイルを使うことができる。インダクタンスの小さいチップコイルは、インダクタンスの大きいチップコイルに比べて直流抵抗が小さいので、アンテナ内部で熱として失われる電力が減り、アンテナの放射利得が高くなる。また、インダクタンスの小さいチップコイルは、自己共振周波数が高いため、高い周波数でも安定した特性を発揮できる。
【００４４】
また、第１の放射導体１１および第２の放射導体１２は、電波を放射することのほかに、チップコイル１６ａ，１６ｂを基板上に固定するという役割を果たす。これにより、他の補強治具を用いることなく、逆Ｆアンテナ２００を作成することができる。
【００４５】
チップコイル１６ａ，１６ｂは、その表面あるいは内部にヘリカル状に折りたたまれた導体を持つものである。ここで、ヘリカル状の導体は立体的なつるまき線や二次元の渦巻き状にしたものが考えられる。また、チップコイル１６ａ，１６ｂは、例えば、巻線タイプ、積層タイプ、フィルムタイプなどがある（上述した図２参照）。
【００４６】
また、チップコイル１６ａ，１６ｂは、図３に示すように、第１の放射導体１１と第２の放射導体１２との間に直列に接続されている。チップコイル１６ａ，１６ｂを放射導体１０Ａの電流の大きい部分に設けることで、放射導体１０Ａを小型化するにはより効果的である。
【００４７】
このように本実施の形態においては、逆Ｆアンテナ２００の放射導体１０Ａは、第１の放射導体１１および第２の放射導体１２の２つの部分と、チップコイル１６ａ，１６ｂとから構成される。第１の放射導体１１は、一端に短絡導体部１３が接続され、他端に給電線路１４が接続される。また、第２の放射導体１２は、第１の放射導体１１の他端側の延長線上に所定距離を離れて形成される。この第１の放射導体１１と第２の放射導体１２との間に、チップコイル１６ａ，１６ｂが設けられ、チップコイル１６ａ，１６ｂにより第１の放射導体１１と第２の放射導体１２とが電気的に接続されるようになされる。
【００４８】
これにより、全体として所望の周波数の波長に対応した電気長をもつ放射導体１０Ａが得られ、かつチップコイル１６ａ，１６ｂが給電線路１５に近い位置に設けられることで、逆Ｆアンテナ２００をより効果的に小型化することができる。
【００４９】
また、基材内に導体が立体的に構成されているチップコイル１６ａ，１６ｂを用いることで、チップコイル１６ａ，１６ｂ内部に３次元的に流れる電流成分が存在するため、すべての方向の偏波について、ある程度の感度を持つことができる。
【００５０】
また、チップコイル１６ａ，１６ｂを用いるため、チップコイル１６ａ，１６ｂの内部の導体の長さを変更し、即ちチップコイル１６ａ，１６ｂのインダクタンスを変更するだけで放射導体の長さの変更ができるので、逆Ｆアンテナ２００の共振周波数の調整が容易に行うことができる。
【００５１】
また、複数のチップコイル１６ａ，１６ｂを使用し、所望のチップコイルのインダクタンス値を組み合わせにより得られるので、既製のチップコイル製品を使用でき、逆Ｆアンテナ２００のコストを抑えることができる。
【００５２】
図４は、本発明の第３の実施の形態の逆Ｆアンテナ３００の構成を示す図である。この図４において、図１と対応する部分には、同一符号を付し、その詳細説明は省略する。
【００５３】
図４に示すように、逆Ｆアンテナ３００は、第１の放射導体１１ａ，１１ｂと、第２の放射導体１２と、グランド部１３と、短絡導体部１４と、給電線路１５と、ヘリカル構造の導体としてのチップコイル１６ｃ，１６ｄとから構成されている。
【００５４】
第１の放射導体１１ａ，１１ｂは、基板の表面にエッチングなどの方法で形成された２つのパターンである。第１の放射導体１１ａは、一端に短絡導体部１４が接続され、他端にチップコイル１６ｄの一端が接続される。また、第１の放射導体１１ｂは、給電線路１５と接続されると共に、チップコイル１６ｄの他端と接続され、さらにチップコイル１６ｃの一端と接続される。
【００５５】
第２の放射導体１２は、基板の表面にエッチングなどの方法を用いて、第１の放射導体１１ａ，１１ｂの延長線上に、第１の放射導体１１ｂと所定距離を離れて形成されたパターンである。この第２の放射導体１２の第１の放射導体１１ｂに遠い部分の導体幅が、第１の放射導体１１ｂに近い部分の導体幅よりも広く形成される。このように、放射導体１０Ｂの先端に幅広の容量負荷部を設けた場合、容量負荷部を設けない場合に比べてチップコイル１６ｃ，１６ｄ内に流れる電流の量が大きいため、アンテナの小型化する効果が大きい。即ち、同じ共振周波数のアンテナを作る場合、インダクタンスの小さいチップコイルを使うことができる。インダクタンスの小さいチップコイルは、インダクタンスの大きいチップコイルに比べて直流抵抗が小さいので、アンテナ内部で熱として失われる電力が減り、アンテナの放射利得が高くなる。また、インダクタンスの小さいチップコイルは、自己共振周波数が高いため、高い周波数でも安定した特性を発揮できる。
【００５６】
また、第１の放射導体１１ａ，１１ｂおよび第２の放射導体１２は、電波を放射することのほかに、チップコイル１６ｃ，１６ｄを基板上に固定するという役割を果たす。これにより、他の補強治具を用いることなく、逆Ｆアンテナ３００を作成することができる。
【００５７】
チップコイル１６ｃ，１６ｄは、その表面あるいは内部にヘリカル状に折りたたまれた導体を持つものである。ここで、ヘリカル状の導体は立体的なつるまき線や二次元の渦巻き状にしたものが考えられる。また、チップコイル１６ｃ，１６ｄは、例えば、巻線タイプ、積層タイプ、フィルムタイプなどがある（上述した図２参照）。
【００５８】
また、図４に示すように、チップコイル１６ｃは、第１の放射導体１１ｂと第２の放射導体１２との間に直列に接続されている。また、チップコイル１６ｄは、第１の放射導体１１ａと１１ｂとの間に直列に接続されている。チップコイル１６ｃ，１６ｄを放射導体の電流の大きい位置（給電線路１５に近い位置）に設けることで、放射導体を小型化するにはより効果的である。
【００５９】
このように本実施の形態においては、逆Ｆアンテナ３００の放射導体１０Ｂは、第１の放射導体１１ａ，１１ｂおよび第２の放射導体１２の３つの部分と、チップコイル１６ｃ，１６ｄとから構成される。第１の放射導体１１ｂと第２の放射導体１２との間にチップコイル１６ｃが設けられ、また、第１の放射導体１１ａと１１ｂとの間にチップコイル１６ｄが設けられる。チップコイル１６ｃ，１６ｄにより第１の放射導体１１ａ，１１ｂおよび第２の放射導体１２が電気的に接続されるようになされる。
【００６０】
これにより、全体として所望の周波数の波長に対応した電気長をもつ放射導体１０Ｂが得られ、かつチップコイル１６ｃ，１６ｄが給電線路１５に近い位置に設けられることで、逆Ｆアンテナ３００をより効果的に小型化することができる。
【００６１】
また、チップコイル１６ｃ，１６ｄのような既製品を用いることで、小型の逆Ｆアンテナ３００を安価に製造することができる。
【００６２】
また、基材内に導体が立体的に構成されているチップコイル１６ｃ，１６ｄを用いることで、チップコイル１６ｃ，１６ｄ内部に３次元的に流れる電流成分が存在するため、すべての方向の偏波について、ある程度の感度を持つことができる。
【００６３】
また、チップコイル１６ｃ，１６ｄを用いるため、チップコイル１６ｃ，１６ｄの内部の導体の長さを変更し、即ちチップコイル１６ｃ，１６ｄのインダクタンスを変更するだけで放射導体の長さの変更ができるので、逆Ｆアンテナ３００の共振周波数の調整が容易に行うことができる。
【００６４】
また、チップコイル１６ｄを設けることで、逆Ｆアンテナ３００の第１の放射導体１１ａ，１１ｂの部分も短縮（小型化）することができ、より小さい逆Ｆアンテナを得ることができる。
【００６５】
図５は、本発明の第４の実施の形態の逆Ｆアンテナ４００の構成を示す図である。この図５において、図１と対応する部分には、同一符号を付し、その詳細説明は省略する。
【００６６】
図５に示すように、逆Ｆアンテナ４００は、第１の放射導体１１と、第２の放射導体１２と、グランド部１３と、短絡導体部１４と、給電線路１５と、ミアンダ構造の導体１７とから構成されている。
【００６７】
第１の放射導体１１は、基板の表面にエッチングなどの方法で形成されたパターンである。第１の放射導体１１は、一端に短絡導体部１４が接続され、他端は給電線路１５が接続されると共に、ミアンダ構造の導体１７と接続される。
【００６８】
第２の放射導体１２は、基板の表面にエッチングなどの方法を用いて、第１の放射導体１１の延長線上に、第１の放射導体１１と所定距離を離れて形成されたパターンである。この第２の放射導体１２の導体幅が、均一に形成されている。
【００６９】
なお、この第２の放射導体１２の第１の放射導体１１に遠い部分の導体幅を、第１の放射導体１１に近い部分の導体幅よりも広く形成するようにしてもよい。このように、放射導体の先端に幅広の容量負荷部を設けた場合、容量負荷部を設けない場合に比べてミアンダ構造の導体１７に流れる電流の量が大きいため、アンテナの小型化する効果が大きい。
【００７０】
ミアンダ構造の導体１７は、基板上に形成されるジグザグに折れ曲がったパターンである。このミアンダ構造の導体１７は、第１の放射導体１１と第２の放射導体１２との間に形成されており、第１の放射導体１１と第２の放射導体１２と直列に接続されている。
【００７１】
このように本実施の形態においては、逆Ｆアンテナ４００の放射導体１０Ｃは、第１の放射導体１１および第２の放射導体１２の２つの部分と、ミアンダ構造の導体１７とから構成される。第１の放射導体１１と第２の放射導体１２との間に、ミアンダ構造の導体１７が設けられ、このミアンダ構造の導体１７により第１の放射導体１１と第２の放射導体１２とが電気的に接続されるようになされる。
【００７２】
これにより、放射導体１０Ｃの一部はミアンダ構造の導体１７より構成され、かつミアンダ構造の導体１７が給電線路１５に近い位置に設けられることで、逆Ｆアンテナ４００をより効果的に小型化することができる。
【００７３】
なお、上述実施の形態においては、ヘリカル構造の導体としてチップコイル１６，１６ａ，１６ｂ，１６ｃ，１６ｄを用いた場合について説明したが、これに限定されるものではない。他のヘリカル構造の導体を用いてもよい。
【００７４】
また、上述実施の形態においては、逆Ｆアンテナについて説明したが、これに限定されるものではない。他のプリンタアンテナにもこの発明を適用できる。
【産業上の利用可能性】
【００７５】
以上のように、この発明に係る逆Ｆアンテナは、プリント基板上に形成される平面アンテナ、特に逆Ｆアンテナ、およびそれを備える送受信装置、特に小型、軽量、かつ高性能であることを要求される無線端末等に適用できる。
【図面の簡単な説明】
【００７６】
【図１】第１の実施の形態の逆Ｆアンテナの構成例を示す図である。
【図２】チップコイルの構成例を示す図である。
【図３】第２の実施の形態の逆Ｆアンテナの構成例を示す図である。
【図４】第３の実施の形態の逆Ｆアンテナの構成例を示す図である。
【図５】第４の実施の形態の逆Ｆアンテナの構成例を示す図である。
【図６】従来の逆Ｆアンテナの構成例を示す図である。
【符号の説明】
【００７７】
１１，１１ａ，１１ｂ・・・第１の放射導体、１２・・・第２の放射導体、１３・・・グランド部、１４・・・短絡導体部、１５・・・給電線路、１６，１６ａ，１６ｂ，１６ｃ，１６ｄ・・・チップコイル、１７・・・ミアンダ構造の導体、１，１００，２００，３００，４００・・・逆Ｆアンテナ
【図１】
2005252366.tif 000003
【図２】
2005252366.tif 000004
【図３】
2005252366.tif 000005
【図４】
2005252366.tif 000006
【図５】
2005252366.tif 000007
【図６】
2005252366.tif 000008